(57)【要約】【課題】  各構成部材同士が全て一体のものとして連設・係合され、組立と分解も非常に簡単に行え、しかも分解して未使用の状態での保管と管理も容易に実施できるようにする。【解決手段】  階段方向に折り畳み自在な階段構成部２と、前面上部３ａに前記階段構成部２の上段側部分２ａが固定される背板部３と、上面前部４ａに前記階段構成部２の下段側部分２ｂが固定され、後縁４ｂが前記背板部３の下縁３ｂと折曲自在に連なる底板部４と、該底板部４、前記背板部３および前記階段構成部２とで囲まれる空所Ｅ１に設けられ、前記階段構成部２を支持する折り畳み自在な階段支持部５と、階段支持部５の展開状態を維持するストッパ６とを有する。【選択図】  図１
2019180958.tif 000002
【特許請求の範囲】
【請求項１】
所定の段数の階段を構成し、該階段方向に折り畳み自在な階段構成部と、前面上部に前記階段構成部の上段側部分が固定される背板部と、上面前部に前記階段構成部の下段側部分が固定され、後縁が前記背板部の下縁と折曲自在に連なる底板部と、該底板部、前記背板部および前記階段構成部とで囲まれる空所に設けられ、前記階段構成部を支持する階段支持部とを備えており、階段支持部は前記底板部上面および前記背板部前面に固定され、且つ前記階段構成部と共に折り畳み自在となされ、その展開状態を維持するストッパによって、階段構成部の支持状態が維持される一方、前記ストッパを外すことで、階段支持部が折り畳まれると共に、前記階段構成部および前記背板部と前記底板部とが全て折り畳まれるようになされている、階段状載置台。
【請求項２】
階段支持部が、前記背板部前面と前記底板部上面における左右二カ所に設けられ、ストッパが、背板部および／または底板部を略コ字形に切込んで形成された揺動自在な舌片状となされ、該舌片状のストッパを前記左右一対の階段支持部間に進入させることで、両階段支持部の展開状態が維持される一方、前記ストッパの前記左右一対の階段支持部間への進入を解除することで、両階段支持部が折り畳まれるようになされている、請求項１記載の階段状載置台。
【請求項３】
階段構成部が、階段の段数に対応する横断面略正方形の筒状体を階段状に列設したものである、請求項１または請求項２記載の階段状載置台。
【請求項４】
階段構成部が、階段の段数に対応して、横断面略正方形の筒状体と横断面略長方形の筒状体とを階段状に列設したものである、請求項１または請求項２記載の階段状載置台。
【請求項５】
階段構成部が、階段の段数に対応して、一枚の板状体に所定数の折曲部を形成したものである、請求項１または請求項２記載の階段状載置台。
【発明の詳細な説明】
【技術分野】
【０００１】
本発明は、店頭で商品等を陳列するための棚や、或いは雛壇や祭壇等としても使用することができる階段状載置台に関する。
【背景技術】
【０００２】
従来、以下のような展示台が知られている。すなわち、該展示台は、例えば、階段状に構成された雛壇において、該雛壇を構成する両側の側板を各段ごとに縦状に分割して成る複数の分割側板の連結により構成し、夫々の分割側板は縦方向の側端に形成された凸部と溝部とで互いに嵌合されると共に夫々の分割側板の下端が敷設部材の長溝に嵌合された連結側板を構成して成り、該連結側板を所定幅で平行に立設して両側の連結側板を所定長さの幅部材で連結したうえ、両側の連結側板の各段に棚板を掛け渡すと共に各段の前部に幕板を張り渡して夫々の連結側板と棚板と幕板との接合部をダボとダボ穴とで係合することにより、前記両側の連結側板を構成する各分割側板と各棚板と各幕板とを分解可能とした組立式雛壇が知られている。
【０００３】
また、この他、組立式の展示台であって、 左側面・前面・右側面を有し、コの字型に立設された基板と、 前面・台面・背面から成り下段を構成する下台板と、 同じく前面・台面・背面から成り上段を構成する上台板と、 下段を補強する下補強板と、上段を補強する上補強板と、 展示台を背後から補強する後ろ補強板とを具備し、前記下台板、前記上台板、前記下補強板、前記上補強板及び前記後ろ補強板は、前記基板を構成する前記左側面及び前記右側面に設置された複数のスリットに嵌設された展示台も知られている。
【先行技術文献】
【特許文献】
【０００４】
【特許文献１】特開２００１−３７６１９号公報
【特許文献２】実用新案登録第３１９０１５２号公報
【発明の概要】
【発明が解決しようとする課題】
【０００５】
前述した雛壇にあっては、複数の分割側板や連結側板、並びに複数の幅部材や棚板および膜板といった多数の構成部材が必要となり、またこれら構成部材同士を組み合わせて最終的に所定の雛壇を完成させるのに、かなりの手間と時間を要するという不都合があった。
【０００６】
また前述した展示台についても、左側面・前面・右側面を有し、コの字型に立設された基板と、 前面・台面・背面から成り下段を構成する下台板と、 同じく前面・台面・背面から成り上段を構成する上台板と、 下段を補強する下補強板と、上段を補強する上補強板と、 展示台を背後から補強する後ろ補強板という多数の構成部材が必要となり、またこれら多くの構成部材を順次組み立てる際の作業にも多くの手間と時間がかかる他、当該展示台を分解して保管する際にも、前述した多数の構成部材を紛失することなく、しかも全体を一まとめにしておく必要があるため、未使用時の保管と管理、および搬送しておいても多くの手間を要するという不都合があった。
【０００７】
本発明の目的は、各構成部材同士が全て一体のものとして連設・係合され、組立と分解も非常に簡単に行え、しかも分解して未使用の状態での保管と管理も容易に実施できる階段状載置台を提供することにある。
【課題を解決するための手段】
【０００８】
請求項１記載の本発明は、所定の段数の階段を構成し、該階段方向に折り畳み自在な階段構成部と、前面上部に前記階段構成部の上段側部分が固定される背板部と、上面前部に前記階段構成部の下段側部分が固定され、後縁が前記背板部の下縁と折曲自在に連なる底板部と、該底板部、前記背板部および前記階段構成部とで囲まれる空所に設けられ、前記階段構成部を支持する階段支持部とを備えており、階段支持部は前記底板部上面および前記背板部前面に固定され、且つ前記階段構成部と共に折り畳み自在となされ、その展開状態を維持するストッパによって、階段構成部の支持状態が維持される一方、前記ストッパを外すことで、階段支持部が折り畳まれると共に、前記階段構成部および前記背板部と前記底板部とが全て折り畳まれるようになされている階段状載置台である。
【０００９】
請求項２記載の本発明は、前記請求項１記載の階段状載置台について、階段支持部が、前記背板部前面と前記底板部上面における左右二カ所に設けられ、ストッパが、背板部および／または底板部を略コ字形に切込んで形成された揺動自在な舌片状となされ、該舌片状のストッパを前記左右一対の階段支持部間に進入させることで、両階段支持部の展開状態が維持される一方、前記ストッパの前記左右一対の階段支持部間への進入を解除することで、両階段支持部が折り畳まれるようになされていることを特徴とする。
【００１０】
請求項３記載の本発明は、前記請求項１または請求項２記載の階段状載置台について、  階段構成部が、階段の段数に対応する横断面略正方形の筒状体を階段状に列設したものである。
【００１１】
請求項４記載の本発明は、前記請求項１または請求項２記載の階段状載置台について、  階段構成部が、階段の段数に対応して、横断面略正方形の筒状体と横断面略長方形の筒状体とを階段状に列設したものである。
【００１２】
請求項５記載の本発明は、前記請求項１または請求項２記載の階段状載置台について、  前記階段構成部が、階段の段数に対応して、一枚の板状体に所定数の折曲部を形成したものである。
【００１３】
前述した本発明に係る階段状載置台の構成材料としては、種々のものを使用することができるが、例えば、プラスチック製段ボール、紙製段ボール、或いはプラスチック発泡シート等が挙げられる。
【発明の効果】
【００１４】
本発明に係る階段状載置台は、所定の段数の階段を構成し、該階段方向に折り畳み自在な階段構成部と、前面上部に前記階段構成部の上段側部分が固定される背板部と、上面前部に前記階段構成部の下段側部分が固定され、後縁が前記背板部の下縁と折曲自在に連なる底板部と、該底板部、前記背板部および前記階段構成部とで囲まれる空所に設けられ、前記階段構成部を支持する階段支持部とを備えており、階段支持部は前記底板部上面および前記背板部前面に固定され、且つ前記階段構成部と共に折り畳み自在となされ、その展開状態を維持するストッパによって、階段構成部の支持状態が維持される一方、前記ストッパを外すことで、階段支持部が折り畳まれると共に、前記階段構成部および前記背板部と前記底板部とが全て折り畳まれるようになされているものであるため、前記ストッパを操作して階段支持部を展開状態とするだけで該階段支持部の上側の階段構成部も展開されて、即座に当該展示台を完成させることができ、また前記ストッパを解除して階段支持部を折り畳むだけで、階段構成部も折り畳み状態となし得るため、前記完成した展示台を一挙にしまうことも可能となる。
【００１５】
また、前述した通り、本発明に係る展示台は、各構成部材同士が連設・係合された全体が一体のものであるため、未使用時に折り畳んでしまう際に、従来の展示台のように、各構成部材が分解されてそれぞれバラバラになって独立した別部材とならず、未使用時においても全体が折り畳まれているが、一体構成のものとなっているため、従来の展示台のように、構成部材を紛失するおそれもなく、常に一まとめの状態で収納や保管が簡単に行え、また運搬移動にも便利である等、種々の実用的利点を有する。
【図面の簡単な説明】
【００１６】
【図１】本発明の実施形態１に係る階段状載置台の前側斜視図である。
【図２】同実施形態に係る階段状載置台の後側斜視図である。
【図３】同実施形態に係る階段状載置台の側面図である。
【図４】同実施形態に係る階段状載置台の背面図である。
【図５】図４の階段状載置台における階段支持部の折り畳み初期の状態を示す側面図である。
【図６】図５の階段状載置台から更に折り畳んだ状態の側面図である。
【図７】実施形態１に係る階段状載置台を完全に折り畳んで状態の側面図である。
【図８】実施形態２に係る階段状載置台の前側斜視図である。
【図９】同実施形態２の階段状載置台の側面図である。
【図１０】同実施形態２の階段状載置台の後側斜視図である。
【図１１】図９の階段状載置台における階段支持部の折り畳み初期の状態を示す側面図である。
【図１２】図５の階段状載置台から更に折り畳んだ状態の側面図である。
【図１３】実施形態２に係る階段状載置台を完全に折り畳んで状態の側面図である。
【図１４】実施形態３に係る階段状載置台の前側斜視図である。
【図１５】同実施形態２の階段状載置台の側面図である。
【図１６】図１５の階段状載置台を直角方向に回動させて立設した状態の斜視図である。
【図１７】同実施形態の階段状載置台の折り畳み初期の状態を示す側面図である。
【図１８】実施形態３に係る階段状載置台を完全に折り畳んで状態の側面図である。
【発明を実施するための形態】
【００１７】
次に、本発明の実施形態を図面にしたがって説明するが、本発明はかかる実施形態に限定されるものではない。
【００１８】
（実施形態１）
【００１９】
図１〜図４に示すように、本実施形態に係る階段状載置台１は、プラスチック製段ボールからなる四段構成であって、その階段方向に折り畳み自在な階段構成部２と、前面上部３ａに前記階段構成部２の上段側部分２ａが固定される背板部３と、上面前部４ａに前記階段構成部２の下段側部分２ｂが固定され、後縁４ｂが前記背板部３の下縁３ｂと折曲自在に連なる底板部４と、該底板部４、前記背板部３および前記階段構成部２とで囲まれる空所Ｅ１に設けられ、前記階段構成部２を支持する階段支持部５とを備えており、階段支持部５は、前記底板部４上面および前記背板部３前面に固定され、且つ後述する折曲線５ＢＬによって、前記階段構成部２と共に折り畳み自在となされており、またその展開状態を維持するストッパ６によって、階段構成部２の支持状態が維持される一方、前記ストッパ６を外すことで、階段支持部５が前記折曲線５ＢＬから折り畳まれると共に、前記階段構成部２および前記背板部３と前記底板部４とが全て折り畳まれるようになされている。
【００２０】
階段構成部２は、本実施形態では、階段の段数に対応する合計４本の横断面略正方形の筒状体７の各角部同士を突き合わせて階段状に列設したものであり、そして、上下方向に連なる階段Ｓ１〜Ｓ４における隣り合う階段の水平部ＬＰ上面と垂直部ＶＰ上面とにまたがる横断面Ｌ字状の連結用板８をリベットＲで前記水平部ＬＰと前記垂直部ＶＰに固定することで、階段Ｓ１〜Ｓ４を構成する上下に隣り合う前記筒状体７同士が一連につながった構造となされている。なお、前述したいずれの固定のリベットＲで行われるが、本発明ではリベットＲ以外の接着剤や止め金等の他の固定手段を使用することもある。この点は後述する固定箇所についても同様である。
【００２１】
なお、前述した連結用板８もプラスチック段ボール製であって、半切りの折曲線８ＢＬを介して折り曲げ自在となされている。また、前述した筒状体７についても、各角部は半切りの折曲線７ＢＬによって横断面略正方形に構成されて、折り畳み自在な形態となっている。
【００２２】
そして、本実施形態では、前記階段支持部５は、より詳細には、側面から見て略正方形の板状であって、前記底板部４の上面後部４ｃ、前記背板部３の前面下部３ｃ、および前記階段構成部２とで囲まれる前記空所Ｅ１において、その左右二カ所に設けられており、また、階段支持部５は前記底板部４の上面後部４ｃおよび前記背板部３の前面下部３ｃにリベットＲで固定され、且つ角度４５°方向に半切り状の折曲線５ＢＬが形成されることで前記階段構成部２と共に折り畳み自在となされている。
【００２３】
また、本実施形態では、前記背板部３と底板部４も半切り状の折曲線３４ＢＬを介して互いにつながった一枚の段ボールで構成され、そして、前記ストッパ６は、背板部３と底板部４のそれぞれに、前記折曲部３４ＢＬ方向に開口する略コ字形に切込みＣＬを入れて舌片状とし、その基部にも半切りの折曲線６ＢＬを形成することで、その内方へ揺動自在となされ、このような構造によって、前述した通り、ストッパ６を前記左右一対の階段支持部５間に進入させるのである。その結果、両階段支持部５は、その折曲線５ＢＬから内方へ折れ曲がることなく、展開状態が維持され、これによって、前記階段構成部２の支持状態も維持されるのである。一方、前記ストッパ６の前記左右一対の階段支持部５間への進入を解除することで、両階段支持部５が折曲線５ＢＬから内方へ折り畳まれ、これに伴って、階段構成部２および背板部３と底板部４も折り畳まれ、最終的に当該階段状載置台１全体が折り畳まれた状態となる。
【００２４】
また、前記と逆の操作を行うだけで、当該階段状載置台１を再び簡単に組み立てることができる。
【００２５】
なお、図中１０は、背板部３の上部やストッパ６の先端寄り部分に形成された取っ手用開口を示す。
【００２６】
また、本実施形態では、階段構成部２における第一階段Ｓ１と第二階段Ｓ２を連結する連結用板８の反対側、並びに第三階段Ｓ３と第四階段Ｓ４を連結する連結用板８の反対側にそれぞれ横断面略コ字形の補強体９Ａ・９ＢがリベットＲで階段構成部２側や背板部３および底板４側に固定されている。
【００２７】
次に、本実施形態に係る階段状載置台１の使用要領について説明すると、前述した通り、図１〜図４に示す組立状態においては、左右一対の階段支持部５によって、階段構成部２が支持された状態となっている。
【００２８】
そして、図５に示すように、前記組立状態から階段支持部５をその折曲線５ＢＬを介して階段構成部２内方へ折り曲げることで、図６に示すように、階段支持部５と共に階段構成部２も折り畳まれ、更に折曲線３４ＢＬを介して背板部３と底板部４も折り畳まれて、最終的には図７に示すように、当該階段状載置台１全体が折り畳まれた状態となる。また、この完全に折り畳まれた状態においても、当該階段状載置台１を構成する各部材同士は互いに前述した連設・係合が維持されているため、一体性が確保されている。
【００２９】
（実施形態２）
【００３０】
図８〜図１０に示すように、本実施形態に係る階段状載置台２１は、前述した実施形態１に係る階段状載置台１と類似する構成のものであり、実施形態１の階段状載置台１における階段構成部１の形態を変更したものである。
【００３１】
すなわち、階段状載置台２１は、プラスチック製段ボールからなる四段構成であって、該階段方向に折り畳み自在な階段構成部２２と、前面上部２３ａに前記階段構成部２２の上段側部分２２ａが固定される背板部２３と、上面前部２４ａに前記階段構成部２２の下段側部分２２ｂが固定され、後縁２４ｂが前記背板部２３の下縁２３ｂと屈曲自在に連なる底板部２４と、該底板部２４、前記背板部２３および前記階段構成部２２とで囲まれる空所Ｅ２に設けられ、前記階段構成部２２を支持する階段支持部２５とを備えており、階段支持部２５は前記底板部２４上面および前記背板部３３前面にリベットＲで固定され、且つ前記階段構成部２２と共に後述の折曲線２５ＢＬを介して折り畳み自在となされ、その展開状態を維持するストッパ２６によって、階段構成部２２の支持状態が維持される一方、前記ストッパ２６を外すことで、階段支持部２５が折り畳まれると共に、前記階段構成部２２および前記背板部２３と前記底板部２４とが全て折り畳まれるようになされている。
【００３２】
階段構成部２２は、本実施形態では、階段の段数に対応する合計４本の筒状体２７Ａ〜２７Ｄによって構成されており、より詳細には、横断面略横長方形の一段目の筒状体２７Ａと横断面略正方形の二段目および三段目の筒状体２７Ｂ・２７Ｃと横断面略縦長方形の最上段の筒状体２７Ｄとを有し、一段面の筒状体２７Ａの水平部ＬＰの後半部に前記二段目の筒状体２７ＢがリベットＲで固定され、最上段の筒状体２７Ｄの垂直部ＶＰの前面下半部に前記三段面の筒状体２７ＣがリベットＲで固定されている。また、このような構成の階段構成部２２と当接する横断面Ｌ字状の連結用板２８によって、第二段目の筒状体２７Ｂと第三段目の筒状体２７Ｃとが上下方向に一体化され、その結果、最終的に階段構成部２２を構成する４本の筒状体２７Ａ〜２７Ｄ全体が一連になっている。また、筒状体２７Ａ〜２７Ｄは、前記実施形態１における筒状体７と同様、各角部は半切りの折曲線２７ＢＬによって横断面略正方形または横断面略長方形に構成され、それぞれ折り畳み自在な形態となっている。
【００３３】
また、前述した連結用板２８も、半切りの折曲線２８ＢＬを介して折り曲げ自在となされている。
【００３４】
そして、本実施形態では、前記階段支持部２５は、より詳細には、前述した通り、側面から見て略正方形であって、底板部２４の上面後部２４ｃ、前記背板部２３の前面下部２３ｃ、および前記階段構成部２２とで囲まれる前記空所Ｅ２において、前記実施形態１と同様に、左右二カ所に設けられ、また該階段支持部２５は前記底板部２４の上面後部２４ｃおよび前記背板部２３の前面下部２３ｃにリベットＲで固定され、且つ角度４５°方向に半切り状の折曲線２５ＢＬが形成されることで前記階段構成部２２と共に、折り畳み自在となされている。
【００３５】
また、本実施形態では、前記実施形態１と同様、背板部２３と底板部２４は半切り状の折曲部２３４ＢＬを介して互いにつながった一枚の段ボールで構成され、また前記ストッパ２６は、背板部２３と底板部２４のそれぞれに、前記折曲線２３４ＢＬ方向に開口する略Ｕ字形の切込みＣＬ２を入れることで、その内方に揺動自在に形成された舌片状となされ、前述した通り、ストッパ２６を前記左右一対の階段支持部２５間に進入させることで、両階段支持部２５は、前記折曲線２５ＢＬから折れ曲がることなく、展開状態が維持され、これによって、前記階段構成部２２の支持状態が維持される。一方、前記ストッパ２６の前記左右一対の階段支持部２５間への進入を解除することで、両階段支持部２５が折曲線２５ＢＬから折り畳まれる。
【００３６】
次に、本実施形態に係る階段状載置台２１の使用要領について説明すると、前述した実施形態と同様、図１１に示すように、階段支持部２５をその折曲線２５ＢＬから折り曲げる。
【００３７】
その後、図１２に示すように、前記階段支持部２５の折り曲げと共に、階段構成部２２も折り畳まれる。
【００３８】
更に、図１３に示すように、前述した各部材の折り曲げ状態を進行させることで、最終的に各部材同士が接近した形態となる。
【００３９】
（実施形態３）
【００４０】
図１４〜図１６に示すように、本実施形態に係る階段状載置台３１は、前述した実施形態１と同様、プラスチック製段ボールからなる四段構成であって、該階段方向に折り畳み自在な階段構成部３２と、前面上部３３ａに前記階段構成部３２の上段側部分３２ａが固定される背板部３３と、上面前部３４ａに前記階段構成部３２の下段側部分３２ｂが固定され、後縁３４ｂが前記背板部３３の下縁３３ｂと屈曲自在に連なる底板部３４と、該底板部３４、前記背板部３３および前記階段構成部３２とで囲まれる空所Ｅ３に設けられ、前記階段構成部３２を支持する階段支持部３５とを備えており、階段支持部３５は前記底板部３４上面および前記背板部３３前面にリベットＲで固定され、且つ前記階段構成部３２と共に折曲線３５ＢＬを介して折り畳み自在となされ、その展開状態を維持するストッパ３６によって、階段構成部３２の支持状態が維持される一方、前記ストッパ３６を外すことで、階段支持部３５が折り畳まれると共に、前記階段構成部３２および前記背板部３３と前記底板部３４とが全て折り畳まれるようになされている。
【００４１】
階段構成部３２は、本実施形態では、階段の段数に対応して、一枚の板状体の上面に幅方向に伸びる四本の折曲線３２ＢＬと同下面における前記隣り合う折曲線３２ＢＬの中間部分に形成された折曲線３０ＢＬとを有し、これら折曲線３２ＢＬと３０ＢＬによって、折り畳み自在とされている。
【００４２】
また、本実施形態では、前記背板部３３の上縁が折曲線３３ＢＬを介して前記階段構成部３２の最上段における水平部ＬＰ後縁に連なり、階段構成部３２の最下段における垂直部ＶＰ下縁が折曲線３０ＡＢＬを介して前記底板部３４の前縁に連なり、底板部３４の後縁と背板部３３の下縁が突き合わされた形態となっている。
【００４３】
そして、前記階段支持部３５は、本実施形態では、前記背板部３３の前面にリベットＲで固定された垂直部３５ａと、前記底板部３４の上面にリベットＲで固定された水平部３５ｂと、前記階段構成部３２の下面に当接する四段の段部Ｇを有する上縁部３５ｃとを有する。また、階段支持部３５には、角度４５°方向に半切り状の複数の折曲線３５ＢＬが形成され、前記階段構成部３２と共に折り畳み自在となされている。
【００４４】
また、前記背板部３３と前記底板部３４には、前述した実施形態１のストッパ６と同様の構成のストッパ３６が固定されている。
【００４５】
更に、本実施形態では、前記階段構成部３２における水平部ＬＰに方形透孔４１が形成され、階段支持部３５の上縁には、前記階段構成部３２の水平部ＬＰの方形透孔４１に嵌入する突起４２が形成され、これらの嵌合によって、階段支持部３５と階段構成部３２とが結合されている。
【００４６】
次に、本実施形態に係る階段状載置台３１の使用要領について説明すると、図１４〜図１６の組立状態において、前述した実施形態１および２と同様に、階段支持部３５をその折曲線３５ＢＬを介して折り畳むことにより、図１７に示すような状態となり、更に折り畳みを進めることで、最終的に図１８に示すような各構成部材が一体であって、互いに接近した重畳状態とすることができる。
【産業上の利用可能性】
【００４７】
本発明に係る階段状載置台は、前述した通り、構成部材数が少なく、そして、簡単に組み立て、および折り畳み可能であり、しかも各部材同士が一体化されているため、搬送や保管も非常に便利であることから、幅広い利用が期待できる。
【符号の説明】
【００４８】
１・２１・３１    階段状載置台
２・２２・３２    階段構成部
３・２３・３３    背板部
４・２４・３４    底板部
５・２５・３５    階段支持部
Ｅ１〜Ｅ３        空所
６・２６・３６    ストッパ
【図１】
2019180958.tif 000003
【図２】
2019180958.tif 000004
【図３】
2019180958.tif 000005
【図４】
2019180958.tif 000006
【図５】
2019180958.tif 000007
【図６】
2019180958.tif 000008
【図７】
2019180958.tif 000009
【図８】
2019180958.tif 000010
【図９】
2019180958.tif 000011
【図１０】
2019180958.tif 000012
【図１１】
2019180958.tif 000013
【図１２】
2019180958.tif 000014
【図１３】
2019180958.tif 000015
【図１４】
2019180958.tif 000016
【図１５】
2019180958.tif 000017
【図１６】
2019180958.tif 000018
【図１７】
2019180958.tif 000019
【図１８】
2019180958.tif 000020